(57)【要約】      （修正有）【課題】盆栽の鉢から流れ出す積水問題を解決し、各種盆栽に、通気、排水功能を提供し、盆栽を移動しなくても、積水を排除できるだけでなく、盆栽の美観を失わず、鉢の底部に水垢の生成問題を改善する盆栽を植えた通常型の鉢を載置する底座を提供する。【解決手段】盆栽を植えた通常型の鉢を載置する底座は、平台形式の盆栽底座で、主体２上部に容置槽２１を設置し、また透水板材３を透水層として設置し、主体２内部には容置槽２２を設置して、容置槽２２に取り出し式貯水箱４を配置する。主体２上に盆栽を承置する。底座を構成する透水板材３により盆栽にかけた水が、盆栽の鉢に詰めた土壌に吸水されず、鉢の底の水はけ口から流れた水が、主体２内部に容易に浸入され、主体２に収容された貯水箱４により収集される。【選択図】図１
0003147506.tif 000002
【実用新案登録請求の範囲】
【請求項１】
盆栽を植えた通常型の鉢を載置する底座であって、
内側に貯水箱を収容する容置槽を設置する主体と、
前記主体の平面に載置され、透水層となる透水板材と、
前記主体の内側に設置された容置槽中に収容される集水する貯水箱と、
からなることを特徴とする盆栽を植えた通常型の鉢を載置する底座。  
【請求項２】
前記主体の容置槽両側に支柱を設置し、容置槽の内部が上部容置槽と底部容置槽を構成し、前記容置槽に支柱を設置した前記底部容置槽は、透水板材を載置し、前記底部容置槽は前記貯水箱を収容する構成としたことを特徴とする請求項１に記載の盆栽を植えた通常型の鉢を載置する底座。
【請求項３】
前記容置槽を形成した主体は、前記主体の平面に配設された透水板材によって平台を形成することを特徴とする請求項１に記載の盆栽を植えた通常型の鉢を載置する底座。
【請求項４】
前記容置槽を形成した主体の側板には引き出し式の貯水箱を収容することができる構成としたことを特徴とする請求項１に記載の盆栽を植えた通常型の鉢を載置する底座。
【請求項５】
前記容置槽を形成した主体の側板には、少なくとも一つの開口を有し、前記貯水箱の取り出しが便利である構成としたことを特徴とする請求項１に記載の盆栽を植えた通常型の鉢を載置する底座。
【考案の詳細な説明】
【技術分野】
【０００１】
本考案は、盆栽を植えた通常型の鉢を載置する底座に関するものであって、特に、一つ、或いは、一つ以上の各種様式の盆栽を植える通常型の鉢に使用できる底座で、盆栽鉢底部から流れ出した積水問題を解決し、盆栽を移動せずに、容易に積水を排除でき、同時に、盆栽の外観を美観にし、鉢の底部に水垢の生成を解決する盆栽の底座に関する。
【背景技術】
【０００２】
一般の盆栽は、盆栽を植えた鉢を皿状の底盤を受け皿とし、盆栽に水をかけた後、鉢に詰めた土壌に吸水されない水が鉢の排水孔から流出する。このような状態は、以下のような問題が生じる。１．皿状底盤の積水が除去しにくく、蚊が発生しやすい。２．一般の皿状底盤を使用すると、盆栽の外観が美しくなく、また、鉢の底部も水垢が残る。
【０００３】
近年、盆栽の鉢内部の構造を変化させたものがあり、排水された水を汲み取って再使用するもの、或いは、特殊材質により通気、保湿できるものもあるが、上述の方式は、一つの盆栽、或いは、一つのプランターへの使用に制限され、特製の盆栽の鉢に移さなければならないので、各種植物の栽培が好きな人には実用的ではない。
【考案の開示】
【考案が解決しようとする課題】
【０００４】
本考案の目的は、盆栽の鉢から流れ出す積水問題を解決し、各種盆栽に、通気、排水功能を提供し、盆栽を移動しなくても、積水を排除できるだけでなく、盆栽の美観を失わず、鉢の底部に水垢の生成問題を改善する盆栽を植えた通常型の鉢を載置する底座を提供することにある。
【課題を解決するための手段】
【０００５】
上述の問題を達成するため、本考案の盆栽を植える通常型の鉢の下に配置する底座は、主体、透水板材、及び、貯水箱からなる。主体の構造は容置槽を設置し、透水板材を配設して透水層とした平台を形成し、平台により、一つ、或いは、それ以上の各種様式の盆栽を植えた通常型の鉢を載置することができ、盆栽の美観が表現され、また、水垢の生成問題も解決される。更に、透水板材により、水が主体内部に浸入し、平台上の盆栽は、通気、排水功能を有する。また、主体内部は容置槽を形成し、取り出し式の貯水箱を収容することができるので、積水は、貯水箱を取り出すだけで排除でき、盆栽全体を移動させる必要がない。
【考案の効果】
【０００６】
本考案の盆栽を植えた通常型の鉢を載置する底座は、積水問題を解決し、各種盆栽に、通気、排水功能を提供し、盆を移動しなくても、積水を排除できるだけでなく、盆栽の美観を失わず、水垢の生成問題を改善することができる。
【考案を実施するための最良の形態】
【０００７】
図１と図２で示されるように、本考案は、主体２、主体２の面に配置された透水板材３、及び、貯水箱４からなり、各種盆栽１を承置する平台型の底座に関する考案である。前記した本考案は、底座を構成する透水板材３により盆栽１にかけた水が、盆栽の鉢に詰めた土壌に吸水されず、鉢の底の水はけ口から流れた水が、主体２内部に容易に浸入され、主体２に収容された貯水箱４により収集して、盆栽を植えた通常型の鉢の底部の積水問題を解決する。且つ、盆栽１の視覚美観を損なわず、水垢の生成問題も改善する。
【０００８】
主体２は、平台構造で、平面には透水板材３を嵌合する透水板材嵌合部を形成し、該透水板材嵌合部の下の内部は、中空部として形成する。その中空部の対向する二側は支柱２１１を設置して、内部が上部容置槽２１、及び、底部容置槽２２を構成し、底部容置槽２２は主体の側板の少なくとも一側に貯水箱４を出入自在として収容する開口２２１を有する。
【０００９】
透水板材３は例えば、多孔質から成る透水性がよい材料からなり、主体２の上部容置槽２１の両側に形成された支柱２１１により搭載されて、主体２を平台として形成する。
【００１０】
貯水箱４は、底部容置槽２２の開口２２１から底部容置槽２２内に置入される。  
【００１１】
本考案は、上述の構造により、主体２が平台構造をなすので、底座の上方に各種様式の盆栽１を植えた通常型の鉢を載置することができ、鉢植えされた盆栽１にかけた水は、鉢に詰めた土壌に吸水されない水が、透水板材３を通過することにより、主体２の底座内部に容易に浸入して貯水箱４内に流入する。
【００１２】
上述の構造により、底座主体２である平台上の盆栽１は、通気、排水功能を有し、一般の皿状底盤のように積水後、詰まる現象が生じず、底盤が盆栽１の美観を損ね、水垢による汚れの問題も生じない。更に、貯水箱４を取り出すだけで、盆栽全体を移動させなくても、積水を除去することができ、蚊の発生を防ぐことができる。
【００１３】
特に、本考案の主体２、透水板材３、及び、貯水箱４は直方体に形成し、平台承置面積を増大させることができ、故に、一個以上の各種様式の盆栽１に使用できる。
【図面の簡単な説明】
【００１４】
【図１】本考案の立体分解図である。
【図２】本考案の実施例による断面図である。
【符号の説明】
【００１５】
１        盆栽
２        主体
２１      上部容置槽
２１１    支柱
２２      底部容置槽
２２１    開口
３        透水板材
４        貯水箱
【図１】
0003147506.tif 000003
【図２】
0003147506.tif 000004